(57)【要約】 【課題】  入力装置と記憶された情報との関連付けを簡単に行うことができる表示装置、制御方法およびプログラムを提供する。【解決手段】  ＣＰＵ６は、画面上に載置したキーボードおよびその位置を認識したうえで、画面に表示されるファイルの位置との相対的な関係に基づき、当該キーボードによってファイルを書き換え・更新可能な状態にするか否かを判断する。【選択図】      図１
2008033190.tif 000002
【特許請求の範囲】
【請求項１】
情報を記憶する記憶手段と、
記憶された情報を表示部に表示する表示手段と、
前記情報の表示位置を取得する表示制御手段と、
前記表示部に載置された入力装置およびその位置を認識する認識手段と、
前記情報の表示位置と前記入力装置の載置位置との相対的な関係に基づき、
前記入力装置からの入力に応じて前記記憶手段に記憶された情報を更新する制御手段と、
を備えることを特徴とする表示装置。
【請求項２】
表示部上に載置された物体の画像を読取る画像読取手段をさらに備え、
前記認識手段は、画像読取手段で読取った画像に基づいて、表示部に載置された入力装置の位置を認識し得ることを特徴とする請求項１に記載の表示装置。
【請求項３】
前記入力装置にはバーコードが付され、前記認識手段は、前記画像読取手段で読取った画像に含まれるバーコードを検出することにより、表示部に載置された入力装置およびその位置を認識することを特徴とする請求項２に記載の表示装置。
【請求項４】
情報を記憶する記憶工程と、
記憶された情報を表示部に表示する表示工程と、
前記情報の表示位置を取得する表示制御工程と、
前記表示部に載置された入力装置およびその位置を認識する認識工程と、
前記情報の表示位置と前記入力装置の載置位置との相対的な関係に基づき、前記入力装置からの入力に応じて前記記憶工程で記憶された情報を更新する制御工程と、
を有することを特徴とする制御方法。
【請求項５】
コンピュータに、請求項１に記載される表示装置の機能を実行させることを特徴とするプログラム。
【発明の詳細な説明】
【技術分野】
【０００１】
本発明は、表示装置、制御方法およびプログラムに関し、たとえばテーブルの表面部に画像を表示させる技術などに好適に適用される。
【０００２】
本発明において、「関連付ける」とは、入力装置によって情報を書き換え・更新可能な状態にすることと同義である。
【背景技術】
【０００３】
入力装置として、機器自体に内蔵されたもの、ケーブルで電気的にかつ機械的に接続されたもの、ワイヤレス通信などを用いて接続されたものが実用に供されている。従来の入力装置として、ボード上に載置された部品に標記された文字、記号などを自動的に入力する入力装置（特許文献１参照）、キーボードのボタンそれぞれにバーコードを付け、ボタン位置を自由に置換えても入力可能なキーボード（特許文献２参照）、入力装置とコマンドとを対応付けておき、予め定める道具の位置、動きを検出して予め登録された機能を実行する装置（特許文献３参照）などがそれぞれ開示されている。
【０００４】
【特許文献１】特開昭６１−４６５１１号公報
【特許文献２】特開平３−２２０６１６号公報
【特許文献３】特開平５−２２４８５３号公報
【発明の開示】
【発明が解決しようとする課題】
【０００５】
前述の機器自体に内蔵した入力装置では、入力装置自体を取り替えることが困難であり、汎用性に欠ける。ケーブルで接続する入力装置では、そのケーブル自体のとりまわしが困難であり、入力装置の使用範囲が規制されるなどの問題もある。ワイヤレス通信などを用いて接続された入力装置では、該入力装置に設けられる電池の寿命が低減する問題がある。前記公報に記載の従来の入力装置では、該入力装置とアプリケーションとを対応付けることができない。
【０００６】
本発明の目的は、入力装置と予め記憶される情報との関連付けを簡単に行うことができる表示装置、制御方法およびプログラムを提供することである。
【課題を解決するための手段】
【０００７】
本発明は、情報を記憶する記憶手段と、
記憶された情報を表示部に表示する表示手段と、
前記情報の表示位置を取得する表示制御手段と、
前記表示部に載置された入力装置およびその位置を認識する認識手段と、
前記情報の表示位置と前記入力装置の載置位置との相対的な関係に基づき、
前記入力装置からの入力に応じて前記記憶手段に記憶された情報を更新する制御手段と、
を備えることを特徴とする表示装置である。
【０００８】
また本発明は、表示部上に載置された物体の画像を読取る画像読取手段をさらに備え、
前記認識手段は、画像読取手段で読取った画像に基づいて、表示部に載置された入力装置およびその位置を認識し得ることを特徴とする。
【０００９】
また本発明は、前記入力装置にはバーコードが付され、前記認識手段は、前記画像読取手段で読取った画像に含まれるバーコードを検出することにより、表示部に載置された入力装置およびその位置を認識することを特徴とする。
【００１０】
また本発明は、情報を記憶する記憶工程と、
記憶された情報を表示部に表示する表示工程と、
前記情報の表示位置を取得する表示制御工程と、
前記表示部に載置された入力装置およびその位置を認識する認識工程と、
前記情報の表示位置と前記入力装置の載置位置との相対的な関係に基づき、前記入力装置からの入力に応じて前記記憶工程で記憶された情報を更新する制御工程と、
を有することを特徴とする制御方法である。
【００１１】
また本発明は、コンピュータに、前記表示装置の機能を実行させることを特徴とするプログラムである。
【発明の効果】
【００１２】
本発明によれば、認識手段は、載置された入力装置およびその位置を認識する。制御手段は、情報の表示位置と、入力装置の載置位置との相対的な関係に基づき、入力装置からの入力に応じて記憶手段に記憶された情報を更新する。従来技術のように、入力装置をケーブルなどで電気的にかつ機械的に接続する手間を省略できる。このように入力装置と予め記憶される情報との関連付けを簡単に行うことができ、操作性の向上を図ることができる。換言すれば、記憶手段に記憶された情報を簡単に更新することができる。したがって本表示装置によれば、ケーブルなどをとりまわす必要もなくなり、前記関連付けに要する時間短縮を図ることができる。
【００１３】
また本発明によれば、認識手段は、画像読取手段で読取った画像に基づいて、表示部に載置された入力装置およびその位置を認識することができる。
【００１４】
また本発明によれば、認識手段は、画像読取手段で読取った画像に含まれるバーコードを検出することによって、載置された入力装置の位置を認識することができる。
【００１５】
また本発明によれば、表示制御工程において、情報の表示位置を取得する。認識工程では、表示部に載置された入力装置およびその位置を認識する。制御工程において、情報の表示位置と、入力装置の載置位置との相対的な関係に基づき、入力装置からの入力に応じて記憶工程で記憶された情報を更新する。従来技術のように、入力装置をケーブルなどで電気的にかつ機械的に接続する手間を省略できる。このように入力装置と、記憶工程で記憶された情報との関連付けを簡単に行うことができ、操作性の向上を図ることができる。換言すれば、記憶工程で記憶された情報を簡単に更新することができる。したがって本制御方法によれば、ケーブルをとりまわす必要もなくなり、前記関連付けに要する時間短縮を図ることができる。
【００１６】
また本発明によれば、コンピュータに表示装置の機能を実行させることができ、前記情報と入力装置とを関連付けるか否かの判断を、正確にかつ確実に行うことができる。使用者の労力を従来技術に比べて低減することが可能となる。
【発明を実施するための最良の形態】
【００１７】
以下、図面を参照しながら本発明を実施するための形態を、複数の形態について説明する。以下の説明においては、各形態で先行する形態で説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。本実施形態は、机形の表面部に画像を表示させる表示装置に適用される。以下の説明は、後述する情報と入力装置とを関連付ける制御方法についての説明をも含む。
【００１８】
図１は、本発明の実施形態に係る表示装置１の電気的構成を表すブロック図である。表示装置１は、表示装置本体と制御系とを有する。前記表示装置本体は、液晶ディスプレイ２（Liquid Crystal Display：略称ＬＣＤ）、センサー３、内蔵カメラ４および光源であるバックライト５を有する。前記制御系は、制御手段としての中央演算処理装置６（
Central Processing Unit：略称ＣＰＵ）、センサー入力部７、周辺機器入力部８、表示制御部９、主記憶部１０、補助記憶部１１、通信部１２およびバス１３を有する。制御系のうちＣＰＵ６、主記憶部１０、補助記憶部１１およびバス１３は、たとえばマイクロコンピュータによって実現される。ＣＰＵ６は、表示制御手段および認識手段としての機能をも有する。
【００１９】
表示手段である前記ＬＣＤ２はその表示部に、ファイルなどの情報を画像として表示する。センサー３は、表示部いわゆる画面上に載置される物体、文字およびダグの少なくともいずれか一つのパターンを検出するものである。センサー３は、ＴＦＴ（Thin 
Film Transistor）アレイを用いたイメージセンサー、赤外線センサー、デジタイザー、タブレットなどによって実現される。低解像度のセンサーと高解像度のセンサーとを別々に構成してもよいし、一体形で構成してもよい。内蔵カメラ４は、表示部に載置される物体、文字およびタグの少なくともいずれか一つのパターンを検出する。この内蔵カメラ４は、前記センサー３と一体形で構成してもよい。バックライト５は、液晶表示を行うための光源となる。光源としてはこのバックライト５に限らず、ＬＣＤが反射形で構成される場合は、フロントライト方式でもよい。
【００２０】
制御系のうちＣＰＵ６は、各ブロックの制御を行う。センサー入力部７には、センサー３および内蔵カメラ４が電気的に接続され、このセンサー入力部７は、センサー３および内蔵カメラ４からの出力を変換しデータ化する。センサー３、内蔵カメラ４およびセンサー入力部７が、画像読取手段に相当する。周辺機器入力部８には、キーボード、ポインティングデバイス、外部カメラ、マイクなどがそれぞれ電気的に接続可能に構成されている。表示制御部９には、ＬＣＤ２、バックライト５が電気的に接続されている。表示制御部９は、ＣＰＵ６からの出力を受け、ＬＣＤ２、バックライト５の制御を行う。主記憶部１０には、動作に必要なプログラム（後述する）および情報が記憶されている。補助記憶部１１には、補助的に動作に必要な情報が記憶されている。通信部１２は外部の機器と通信を行う。ＣＰＵ６は、これらセンサー入力部７、周辺機器入力部８、表示制御部９、主記憶部１０、補助記憶部１１、通信部１２にバス１３を介して電気的に接続されている。
【００２１】
図２は、主記憶部１０に格納されるソフトウェアの構成を表す図である。本プログラム１４によって、位置認識処理、方向認識処理、タグ認識処理、形状認識処理、文字認識処理、情報検索処理、リンク生成処理および画像比較処理を実行可能になっている。位置認識処理では、センサー３または内蔵カメラ４で検知された画像情報の位置を認識する。また、ＬＣＤ２上に表示する画像の位置情報も併せて識別する。方向認識処理では、センサー３または内蔵カメラ４で検知された画像情報の方向を認識する。タグ認識処理では、センサー３または内蔵カメラ４で検知されたタグ情報を認識する。
【００２２】
形状認識処理では、センサー３または内蔵カメラ４で検知された画像の形状を認識する。文字認識処理では、センサー３または内蔵カメラ４で検知された文字情報を認識する。情報検索処理では、主記憶部１０、補助記憶部１１、または図示外の外部記録装置内の情報を検索する。リンク生成処理では、センサー３または内蔵カメラ４で検知された画像情報と、内部もしくは外部のファイルデータやコマンドデータとを関連付ける。画像比較処理では、時系列の画像データの比較を行うようになっている。本実施形態において、これら複数の処理のうち前記画像比較処理を省略してもよい。
【００２３】
図３は、本発明の第１の実施形態に係る関連付け処理を表すフローチャートである。図４は、第１の実施形態に係る登録処理（１）のサブルーチンを表すフローチャートである。図５は、ファイルに、所望のキーボード１５を関連付ける形態を表す表示装置１の平面図である。特に記載のない限り本フローの制御主体はＣＰＵ６である。たとえば表示装置１の図示外の主電源をオフからオンにする条件で本フローが開始する。本フロー開始後ステップａ１に移行し、次工程で物体があるか否かを判断すべく、当該表示装置１の表示部としての画面上の状態をセンサー３でセンシングする。次にステップａ２に移行し、画面上に物体があるか否かを判断する。つまり前記センシングの結果、画面上に物体があると判断されると、次のステップａ３に移行し、画面上に物体がないと判断されると、本処理を終了する。
【００２４】
ステップａ３において、前述の位置認識処理によって物体の位置を認識する。次にステップａ４に移行して、表示部に表示される画像（対象ファイル）位置または画像位置近傍に、前記物体があるか否かを判断する。ファイル表示位置またはその近傍に物体があると判断されると、次のステップａ５に移行し、ファイル表示位置またはその近傍に物体がないと判断されると、本処理を終了する。ステップａ５において、画面上の物体近傍に”登録”選択メニュー画面１６を表示する（図５参照）。次にステップａ６に移行し、”登録”選択メニュー画面１６で”登録”が選択されたか否かを判断する。”登録”が選択された場合次のステップａ７に移行し、選択されなかった場合には本処理を終了する。
【００２５】
ステップａ７では、後述する登録処理のサブルーチンへ移行する。次にステップａ８に移行して、登録をしたいファイル全てに対して登録作業を終えたか否かを判断する。登録をしたいファイル全てに対して登録作業を終えた場合は、本処理を終了する。登録を希望するいずれかのファイルの登録作業が終えていないとの判断で、ステップａ５に戻る。
【００２６】
前記ステップａ７に移行する条件で図４に示す登録処理が開始する。本登録処理開始後ステップａ７０に移行して、登録対象のファイルを選択する。次にステップａ７１に移行して、キーボード識別処理によって、画面上に載置された物体がキーボード１５であるか否かを判別する。たとえばキーボード１５毎に付与される識別情報として、特定形状、マーク、バーコード、透かし、タグおよび形状などの少なくともいずれか一つによって、キーボード識別処理を実行し得る。
【００２７】
次にステップａ７２に移行して、画面上の物体がキーボード１５か否かを判断する。ここで物体を、登録を希望するキーボード１５として判別した場合は、前述のリンク生成処理によって、キーボード１５とファイルとの関連付けを行う（ステップａ７３）。その後本登録処理を終了する。物体をキーボード１５として判別しなかった場合（ステップａ７２：ＮＯ）は、本登録処理を終了する。本実施形態では、物体をキーボード１５として判別しなかった場合、本登録処理を終了しているが、たとえば前述の形状認識処理によって前記物体形状を認識し、リンク生成処理によって物体形状とファイルとの関連付けを行ってもよい。以上説明した図３〜図５に示す関連付け処理によれば、関連付けられたキーボード１５によって、対象ファイルの編集を行うことが可能となる。
【００２８】
図６は、本発明の第２の実施形態に係る関連付け処理を表すフローチャートである。図７は、第２の実施形態に係る登録処理（２）のサブルーチンを表すフローチャートである。図８は、キーボード１５を登録エリアＡｔに載置して、ファイルに前記キーボード１５を関連付ける形態を表す表示装置１の平面図である。図９は、キーボード１５に、所望のファイルを関連付ける形態を表す表示装置１の平面図である。特に記載のない限り本フローの制御主体はＣＰＵ６である。たとえば表示装置１の主電源をオフからオンにする条件で本フローが開始する。本フロー開始後ステップｂ１に移行し、画面上に”登録”選択メニュー画面１６を表示する。次にステップｂ２に移行し、”登録”選択メニュー画面１６で”登録”が選択されたか否かを判断する。”登録”が選択された場合次のステップｂ３に移行し、表示部としての画面上の状態をセンサー３でセンシングする。次にステップｂ４に移行し、前述の位置認識処理によって物体の位置を認識する。
【００２９】
次にステップｂ５に移行し、物体が、所定の場所、換言すれば予め定める登録エリアＡｔにあるか否かを判断する。物体が前記登録エリアＡｔにあると判断されると、次のステップｂ６に移行し、物体が前記登録エリアＡｔにないと判断されると本処理を終了する。ステップｂ６では、後述する登録処理のサブルーチンへ移行する。次にステップｂ７に移行して、登録終了か否かを判断する。登録終了したとの判断で、本処理を終了する。登録終了していないとの判断で、ステップｂ１に戻る。
【００３０】
前記ステップｂ６に移行する条件で図７に示す登録処理を実行する。本登録処理開始後、ステップｂ６０に移行して、キーボード識別処理によって、所定の場所いわゆる登録エリアＡｔにある物体が、キーボード１５か否かを判別する。キーボード１５毎に付与される識別情報として、特定形状、マーク、ＱＲコード、バーコード、透かし、タグおよび形状などの少なくともいずれか一つによって、キーボード識別処理を実行し得る。次にステップｂ６１に移行して、画面上の物体がキーボード１５か否かを判断する。
【００３１】
ここで物体を、登録を希望するキーボード１５として判別した場合は、前述のリンク生成処理によって、キーボード１５とファイルとの関連付けを行う（ステップｂ６２）。その後本登録処理を終了する。物体をキーボード１５として判別しなかった場合（ステップｂ６１：Ｎｏ）は、本登録処理を終了する。本実施形態では、物体をキーボード１５として判別しなかった場合、本登録処理を終了しているが、たとえば前述の形状認識処理によって前記物体形状を認識し、リンク生成処理によって物体形状とファイルとの関連付けを行ってもよい。以上説明した図６〜図８に示す関連付け処理によれば、関連付けられたキーボード１５によって、対象ファイルの編集を行うことが可能となる。
【００３２】
図１０は、本発明の第３の実施形態に係り、キーボード１５を載置すると、該キーボード１５に関連付けられた情報を表示させる処理を表すフローチャートである。図１１は、キーボード１５に関連付けられたファイルを表示する形態を表す表示装置１の平面図である。特に記載のない限り本フローの制御主体はＣＰＵ６である。たとえば表示装置１の主電源をオフからオンにする条件で本フローが開始する。本フロー開始後ステップｃ１に移行し、次工程で物体があるか否かを判断すべく、画面上の状態をセンサー３でセンシングする。次にステップｃ２に移行し、画面上に物体があるか否かを判断する。つまり前記センシングの結果、画面上に物体があると判断されると、次のステップｃ３に移行し、画面上に物体がないと判断されると、本処理を終了する。
【００３３】
ステップｃ３において、前述の位置認識処理によって物体の位置を認識する。次にステップｃ４に移行して、キーボード識別処理によって、画面上に載置された物体がキーボード１５であるか否かを判別する。たとえばキーボード１５毎に付与される識別情報として、特定形状、マーク、ＱＲコード、バーコード、透かし、タグおよび形状などの少なくともいずれか一つによって、キーボード識別処理を実行し得る。次にステップｃ５に移行して、前述の情報検索処理によって、キーボード１５と関連付けされたファイルを検索する。次のステップｃ６において、前記キーボード１５と関連付けられたファイルがあると判断されると、次のステップｃ７に移行し、その関連付けられたファイルを画面に表示させる。その後本処理を終了する。ステップｃ６において、関連付けられたファイルなしと判断されると（ステップｃ６：Ｎｏ）、本処理を終了する。
【００３４】
図１２は、キーボード１５を除去すると、該キーボード１５に関連付けられた情報を非表示にする処理を表すフローチャートである。本フロー開始後ステップｄ１に移行し、キーボードが画面上から除去されたか否かをモニタリングする。除去されたと判断された場合、次のステップｄ３へ移行し、除去されていないと判断された場合、本フロー開始時に戻る。ステップｄ３において、関連付けられたファイルを非表示にするか否かの問い合わせ処理を行う。この段階で使用者によって、たとえば「非表示」が承諾つまり選択されると、その信号が順次、センサー、センサー入力部、バスを介してＣＰＵに伝達される。該ＣＰＵが非表示である旨確認すると、ステップｄ４に移行して、関連付けられたファイルを非表示にする。その後本処理を終了する。ステップｄ３で「非表示」が未承諾の場合（ステップｄ３：ＮＯ）、本処理を終了する。
【００３５】
図１３は、複数のキーボードのうち、いずれか一つのキーボードにファイルを関連付けるとともに他のキーボードとファイルとの関連付けを解除する処理を表すフローチャートである。図１４は、一つのファイルと複数のキーボード１５との関係を表す表示装置１の平面図であり、図１４（ａ）は、いずれかのキーボード１５を関連付ける前の状態を表す表示装置１の平面図、図１４（ｂ）は、前記キーボード１５を関連付けた後の状態を表す表示装置１の平面図である。図１５は、一つのキーボード１５と複数のファイルとの関係を表す表示装置１の平面図であり、図１５（ａ）はいずれかのファイルを関連付ける前の状態を表す表示装置１の平面図、図１５（ｂ）は前記ファイルを関連付けた後の状態を表す表示装置１の平面図である。
【００３６】
ステップｃ７において、関連付けられたファイルを画面に表示させた後、ステップｃ８に移行する。ここで画面に表示されるファイルが複数のキーボード１５に関連付けられたファイル（いわゆる共有ファイル）であるか否かを判断する。共有ファイルであると判断されると、ステップｃ９に移行し、前記複数のキーボード１５のうちいずれか一方のキーボード１５に選択されたか否かを判断する。このとき図１４（ａ）に示すように、画面上にはたとえば「どちらのキーボードを選択しますか？」などのメッセージ画像が表示され、フラッシングＦＬによってキーボード１５を選択させる。
【００３７】
前記ファイルに関連付けたいキーボード１５が選択されると、ステップｃ１０に移行し、選択されたキーボード１５とファイルとを関連付け、他のキーボード１５とファイルとの関連付けを解除する。また図１４（ｂ）に示すように、選択したキーボード１５（Ｐ１）に合わせてファイルの向きと位置とが変わるようにファイル表示が制御される。その後本処理を終了する。ステップｃ８において、共有ファイルではないと判断されると、本処理を終了する。ステップｃ９において、ファイルに関連付けたいキーボード１５が選択されていないと判断されると、ステップｃ９に再び戻る。ステップｃ９を含む当該プログラムが選択手段に相当する。
【００３８】
図１５（ａ）に示すように、一つのキーボード１５に関連付けられた複数のファイルがあると、画面上にはたとえば「どのファイルを編集しますか？」などのメッセージ画像１７が表示され、フラッシングＦＬによってファイルを選択させる。図１５（ｂ）に示すように、選択したファイル（たとえばＦｉｌｅ  Ｃ）の向きおよび位置を、キーボード１５に合わせて表示させる。未選択のファイル（たとえばＦｉｌｅ  ＡおよびＢ）は、画面の隅部（一箇所）に片付ける。よって選択されたファイルの作業性を向上させることができる。
【００３９】
図１６は、装置識別情報１８が付与され、各ボタンスイッチのオン・オフを通知可能なキーボード１５Ａの形態を表す図であり、図１６（ａ）はキーボード１５Ａの正面図、図１６（ｂ）はキーボード１５Ａの背面図である。入力装置としてのキーボード１５Ａは、無線または有線にて、各操作キー毎に割り当てられた各ボタンスイッチのオン、オフ（キー識別情報に相当）を周辺機器入力部８、バス１３を介してＣＰＵ６に通知する。このキーボード１５Ａの背面には、図１６（ｂ）に示すように、当該キーボード１５Ａを識別する特定形状、マーク、ＱＲコード、バーコードおよび埋め込みタグの少なくともいずれか一つ（装置の識別情報に相当）が設けられている。
【００４０】
図１７は、装置識別情報１８が付与され、キーボードを画面上に表示する形態を表す図であり、図１７（ａ）はキーボード１５Ｂの正面図、図１７（ｂ）はキーボード１５Ｂの背面図である。入力装置としての前記キーボード１５Ｂの背面には、特定形状、マーク、ＱＲコード、バーコード、タグおよび透かしなどの少なくともいずれか一つ（装置の識別情報に相当）が設けられている。このようなキーボード１５Ｂを画面上に載置することにより、ＣＰＵ６は別途ソフトウェアキーボードを画面上に表示するようにしてもよい。この場合には、キーボード１５Ｂの形状を簡単化でき、入力装置自体の構造を簡単化することが可能となる。
【００４１】
図１８は、装置識別情報が付与され、各ボタン押下により入力されたか否かを判別する形態を表す図であり、図１８（ａ）はキーボード１５Ｃの正面図、図１８（ｂ）はキーボード１５Ｃの背面図である。入力装置としての前記キーボード１５Ｃの背面には、特定形状、マーク、ＱＲコード、バーコード、タグおよび透かしなどの少なくともいずれか一つ（装置識別情報に相当）が設けられている。本キーボード１５Ｃにおいて、透明な板もしくはボタン押下１９によりパネル面にボタンのバーコードなどが接触してキー入力されたことがわかる構造になっていてもよい。
【００４２】
図１９は、関連付けテーブルが保持される例を表す図である。キーボード（１）には、ファイルＡ、ファイルＢ、ファイルＣが関連付けられている。キーボード（２）には、ファイルＤが関連付けられている。キーボード（１）および（２）を当該表示装置１の画面上に載置したタイミングでファイルＡ、ファイルＢ、ファイルＣおよびファイルＤを、前記画面上に表示してもよい。キーボード（１）および（２）を当該表示装置の画面上から除去したタイミングでファイルＡ、ファイルＢ、ファイルＣおよびファイルＤを、前記画面上で非表示にしてもよい。
【００４３】
図２０は、関連付けテーブルが都度作成される例を表す図である。表示装置１の画面上にファイルＡが表示され、かつ画面上にはキーボードが載置されていない。この状態からファイルＡ上、ファイルＡの近傍もしくは登録エリアにキーボード（１）を載置する。するとファイルＡとキーボード（１）とが関連付けされる。その後、キーボード（１）を画面上から除去すると、ファイルＡとキーボード（１）との関連付けが抹消される。キーボード（１）を画面上から除去したタイミングでファイルＡを非表示にしてもよい。
【００４４】
以上説明した表示装置１によれば、制御手段としてのＣＰＵ６は、キーボード１５の位置を認識したうえで、画面に表示されるファイルの位置ととの相対的な関係（図３ステップａ４，図６ステップｂ５参照）に基づいて、キーボード１５によってファイルを書き換え・更新可能な状態にするか否かを判断する。従来技術のように、入力装置をケーブルなどで電気的にかつ機械的に接続する手間を省略できる。このように入力装置としてのキーボード１５と予め主記憶部１０などに記憶されるファイルとの関連付けを簡単に行うことができ、操作性の向上を図ることができる。したがって本表示装置１によれば、ケーブルなどをとりまわす必要もなくなり、前記関連付けに要する時間短縮を図ることができる。
【００４５】
センサー３、内蔵カメラ４は、対象物であるキーボード１５が画面上に載置されているか否かを検知する。ＣＰＵ６は、その検知結果に基づいて前記キーボード１５の位置を認識可能になっている。
【００４６】
本実施形態に係る制御方法によれば、キーボード１５の位置を認識する工程と、画面に表示されるファイルの位置との相対的な関係に基づいて、前記ファイルと前記キーボード１５とを関連付けるか否かを判断する工程とを有する。これらの工程によって、ファイルとキーボード１５とを関連付ける。つまりキーボード１５によってファイルを書き換え・更新可能な状態にする。このようにキーボード１５とファイルとの関連付けを簡単に行うことができ、操作性の向上を図ることができる。したがって本制御方法によれば、ケーブルなどをとりまわすこともなくなり、前記関連付けに要する時間短縮を図ることができる。
【００４７】
以上説明した表示装置１によれば、制御手段としてのＣＰＵ６は、キーボード１５が画面上に載置されたか否かを判断する。キーボード１５が載置されたとの判断で、ＣＰＵ６は、このキーボード１５に関連付けられるファイルを画面に表示させる。このようにキーボード１５を載置するだけの簡単な操作で、前記ファイルを画面に表示させ、該ファイルを書き換え・更新することができる。従来技術のように、キーボードをケーブルなどで電気的にかつ機械的に接続する手間を省略できる。したがって本実施形態に係る表示装置１によれば、ファイルの入出力を簡単にかつ遅滞なく実行することができる。
【００４８】
ＣＰＵ６は、複数のキーボード１５にそれぞれ関連付けられる複数のファイルを画面に表示させるので、複数のキーボード１５に対する汎用性を高めることができる。しかもこれら複数のキーボード１５によって、並行して複数のファイルを書き換え・更新することが可能となる。このように表示装置１の利便性を高めることができる。
【００４９】
ファイルが複数のキーボード１５に関連付けられている場合、図１３のステップｃ１０などに示すように、一つのキーボード１５にファイルを関連付けるとともに、他のキーボード１５と前記ファイルとの関連付けを解除する。その後、一つのキーボード１５に関連付けられているファイルだけを書き換え・更新することができる。いわゆる共有違反を未然に避けることができる。
【００５０】
ＣＰＵ６は、一つのキーボード１５に関連付けられたファイルに基づき表示されるファイル画像の表示位置を、前記キーボード１５の位置に基づいて補正する。図１４（ｂ）などに示すように、ＣＰＵ６は、選択されたキーボード１５の方向に、該キーボード１５に関連付けられたファイルを画面に垂直な軸線方向まわりに回転させて表示するように補正する。つまり使用者が何ら操作することなく、前記キーボード近傍にファイル画像を表示させることができるので、画像を見易くすることができ、このキーボード１５による操作性を向上させることができる。
【００５１】
以上説明した入力装置としてのキーボード１５には、画面上に載置される当該キーボード１５を識別するキーボード固有の装置識別情報と、キーボード１５の各操作キーが操作されたか否かを判別する各操作キー固有のキー識別情報とが付与されている。装置識別情報が付与されるキーボード１５によって、複数のキーボード１５を用いる場合であっても、所望のキーボード１５を簡単にかつ確実に識別することが可能となる。また複数のキーボード１５を同時に換言すれば並行して使用することも可能となる。さらにキーボード１５には、前述のキー識別情報が付与されるので、各操作キーを介して情報の書き換え・更新を実現することが可能となる。
【００５２】
制御手段としてのＣＰＵ６は、キーボード１５毎に付与されるキーボード固有の装置識別情報を走査して前記キーボード１５からの入力を認識する。複数のキーボード１５を用いる場合であっても所望のキーボード１５を簡単にかつ確実に識別し得る表示装置１を実現することができる。また複数のキーボード１５を同時に換言すれば並行して使用し得る表示装置１を実現することができる。
【００５３】
本実施形態では、入力装置としてキーボードが適用されているが、キーボードだけに限定されるものではない。たとえば入力装置として、ポインティングデバイスなどを適用してもよい。この場合であっても本実施形態と同様の効果を奏する。その他、本発明の趣旨を逸脱しない範囲において種々の変更を付加した形態で実施することも可能である。
【図面の簡単な説明】
【００５４】
【図１】本発明の実施形態に係る表示装置１の電気的構成を表すブロック図である。
【図２】主記憶部１０に格納されるソフトウェアの構成を表す図である。
【図３】本発明の第１の実施形態に係る関連付け処理を表すフローチャートである。
【図４】第１の実施形態に係る登録処理（１）のサブルーチンを表すフローチャートである。
【図５】ファイルに、所望のキーボード１５を関連付ける形態を表す表示装置１の平面図である。
【図６】本発明の第２の実施形態に係る関連付け処理を表すフローチャートである。
【図７】第２の実施形態に係る登録処理（２）のサブルーチンを表すフローチャートである。
【図８】キーボード１５を登録エリアＡｔに載置して、ファイルに前記キーボード１５を関連付ける形態を表す表示装置１の平面図である。
【図９】キーボード１５に、所望のファイルを関連付ける形態を表す表示装置１の平面図である。
【図１０】本発明の第３の実施形態に係り、キーボード１５を載置すると、該キーボード１５に関連付けられた情報を表示させる処理を表すフローチャートである。
【図１１】キーボード１５に関連付けられたファイルを表示する形態を表す表示装置１の平面図である。
【図１２】キーボード１５を除去すると、該キーボード１５に関連付けられた情報を非表示にする処理を表すフローチャートである。
【図１３】複数のキーボードのうち、いずれか一つのキーボードにファイルを関連付けるとともに他のキーボードとファイルとの関連付けを解除する処理を表すフローチャートである。
【図１４】一つのファイルと複数のキーボード１５との関係を表す表示装置１の平面図であり、図１４（ａ）は、いずれかのキーボード１５を関連付ける前の状態を表す表示装置１の平面図、図１４（ｂ）は、前記キーボード１５を関連付けた後の状態を表す表示装置１の平面図である。
【図１５】一つのキーボード１５と複数のファイルとの関係を表す表示装置１の平面図であり、図１５（ａ）は、いずれかのファイルを関連付ける前の状態を表す表示装置１の平面図、図１５（ｂ）は前記ファイルを関連付けた後の状態を表す表示装置１の平面図である。
【図１６】装置識別情報１８が付与され、各ボタンスイッチのオン・オフを通知可能なキーボード１５Ａの形態を表す図であり、図１６（ａ）はキーボード１５Ａの正面図、図１６（ｂ）はキーボード１５Ａの背面図である。
【図１７】装置識別情報１８が付与され、キーボードを画面上に表示する形態を表す図であり、図１７（ａ）はキーボード１５Ｂの正面図、図１７（ｂ）はキーボード１５Ｂの背面図である。
【図１８】装置識別情報が付与され、各ボタン押下により入力されたか否かを判別する形態を表す図であり、図１８（ａ）はキーボード１５Ｃの正面図、図１８（ｂ）はキーボード１５Ｃの背面図である。
【図１９】関連付けテーブルが保持される例を表す図である。
【図２０】関連付けテーブルが都度作成される例を表す図である。
【符号の説明】
【００５５】
１  表示装置
２  ＬＣＤ
３  センサー
４  内蔵カメラ
６  ＣＰＵ
１０  主記憶部
１１  補助記憶部
１５  キーボード
【図１】
2008033190.tif 000003
【図２】
2008033190.tif 000004
【図３】
2008033190.tif 000005
【図４】
2008033190.tif 000006
【図５】
2008033190.tif 000007
【図６】
2008033190.tif 000008
【図７】
2008033190.tif 000009
【図８】
2008033190.tif 000010
【図９】
2008033190.tif 000011
【図１０】
2008033190.tif 000012
【図１１】
2008033190.tif 000013
【図１２】
2008033190.tif 000014
【図１３】
2008033190.tif 000015
【図１４】
2008033190.tif 000016
【図１５】
2008033190.tif 000017
【図１６】
2008033190.tif 000018
【図１７】
2008033190.tif 000019
【図１８】
2008033190.tif 000020
【図１９】
2008033190.tif 000021
【図２０】
2008033190.tif 000022